(57)【要約】【課題】簡易な構成かつ小型の受信装置を備える受信システムを提供することを目的とする。【解決手段】受信装置１は、チューナ回路部１７が設けられた第１の基板５と、デジタル復調部１８と、デジタル回路部２０と、映像音声出力回路２１とが設けられた第２の基板６とを備える。第１の基板５と第２の基板６とは、それぞれの実装面が対向し、かつ略平行となるように配置され、これらの基板５、６の周囲すべてをシャーシ２と、第１のふた１４及び第２のふた１５とで覆っている。このような構成とすることにより、基板５、６を重ねて配置することができるので、一枚の基板の実装面に必要な素子や回路部材をすべて設ける場合と比較して、受信装置１を基板５、６の実装面の方向に対して小型化することができる。【選択図】図２
2008011065.tif 000002
【特許請求の範囲】
【請求項１】
アンテナで受信した高周波信号を受信して映像、音声信号に変換する受信装置であって、
第１の基板の実装面上に配置され、アンテナから受信された高周波信号を中間周波数信号に変換するチューナ回路部と、
第２の基板の実装面上に配置され、前記チューナ回路部から出力される中間周波数信号を圧縮されたデジタル信号に変換するデジタル復調部と、
前記第２の基板実装面上に配置され、前記デジタル復調部から出力される圧縮されたデジタル信号からデジタル映像・音声信号に変換するデジタル回路部と、
前記第２の基板の実装面上に配置され、前記デジタル回路部から出力されるデジタル映像・音声信号をアナログ映像・音声信号に変換する映像音声出力回路と、を備え、
前記第１の基板の実装面と前記第２の基板の実装面とが対向し、かつ略平行となるように配置されることを特徴とする受信装置。
【請求項２】
前記第１の基板の実装面上の端部に設けられた第１のコネクタと、
前記第２の基板の実装面上の端部に設けられた第２のコネクタと、を備え、
前記第１及び第２のコネクタがジャンパ線で接続され、前記ジャンパ線が、前記第１の基板と前記第２の基板との間の信号パターンを接続することを特徴とする請求項１に記載の受信装置。
【請求項３】
前記第１のコネクタが設けられた端部と前記第２のコネクタが設けられた端部とが、前記基板の実装面と略垂直な方向に対して揃うように、前記第１の基板と前記第２の基板とが配置されることを特徴とする請求項２に記載の受信装置。
【請求項４】
前記第２の基板において、
前記チューナ回路部、前記デジタル復調部、前記デジタル回路部、前記映像音声出力回路それぞれの入出力端子が、当該基板の前記第２のコネクタが設けられた面と同一の面であり、前記第２のコネクタが設けられた端部と略垂直な端部に集中して配置されていることを特徴とする請求項１〜請求項３のいずれかに記載の受信装置。
【請求項５】
前記デジタル回路部が、圧縮されたデジタル映像・音声信号を復調する映像音声処理ＩＣと、圧縮されたデジタル映像・音声信号及び復調したデジタル映像・音声信号を保存する映像音声処理メモリと、を備えるとともに、前記デジタル復調部が、中間周波数信号をデジタル変換するための処理ＩＣであるデジタル復調ＩＣを備えており、
前記第２の基板の層数と前記第１の基板の層数とを比較して、前記第１の基板の層数が少ないことを特徴とする請求項１〜請求項４のいずれかに記載の受信装置。
【請求項６】
前記第１の基板を２層基板とし、前記第２の基板を４層基板とすることを特徴とする請求項５に記載の受信装置。
【請求項７】
前記第１の基板の実装面と略平行であり、前記第１の基板について、前記第２の基板の反対側に設けられた第１のふたと、
前記第２の基板の実装面と略平行であり、前記第２の基板について、前記第１の基板の反対側に設けられた第２のふたと、
前記第１のふたと前記第２のふたとに接続し、前記第１の基板及び前記第２の基板のそれぞれの実装面に垂直なそれぞれの側面に嵌合するように設けられたシャーシと、を備え、
前記第１の基板及び前記第２の基板の全面が、前記シャーシと前記第１のふたと前記第２のふたとによって、装置外部に対して覆われることを特徴とする請求項１〜請求項６のいずれかに記載の受信装置。
【請求項８】
前記第１のふた及び前記第２のふたが、前記シャーシに対して着脱可能であることを特徴とする請求項７に記載の受信装置。
【請求項９】
前記第１の基板に設けられたアナログアースパターンと、前記第２の基板に設けられたデジタルアースパターンとが、はんだ接続によって前記シャーシに電気的に接続され、
前記アースパターンのそれぞれと前記シャーシとのはんだ接続を行った面が、前記第１の基板及び前記第２の基板のそれぞれ片側の面のみであることを特徴とする請求項１〜請求項８のいずれかに記載の受信装置。
【請求項１０】
前記アースパターンと前記シャーシとのはんだ接続が、各基板の少なくとも一つの端部に対して行われることを特徴とする請求項９に記載の受信装置。
【請求項１１】
デジタルおよびアナログ放送波を受信して、映像信号および音声信号に変換し、表示および出力する受信システムであって、
請求項１〜請求項１０のいずれかに記載の受信装置と、
前記受信装置から出力される映像信号に基づいて映像を表示し、あるいは音声信号に基づいて音声を出力する処理を行う映像表示装置と、を備える受信システム。
【発明の詳細な説明】
【技術分野】
【０００１】
本発明は、デジタルテレビジョン放送に代表される高周波信号を受信するための受信装置と、該受信装置と映像表示装置とを備えた受信システムとに関するものである。
【背景技術】
【０００２】
図１１に従来例のデジタルテレビジョン放送に代表される高周波信号を受信するための受信システムの概略的構成を示すブロック図を示す。図１１に示すように、受信システム３０は、高周波信号を受信し所定の処理を施すことで所望の信号を取得するための受信装置３２と、受信した信号に所定の処理を施して映像信号及び音声信号を取り出すための映像表示装置３３とを備える。
【０００３】
受信装置３２は、高周波信号を受信するためのアンテナ３１と、アンテナで受信された高周波信号を中間周波数信号に変換するチューナ回路部３４と、チューナ回路部３４から出力される中間周波数信号を圧縮されたデジタル信号に変換するデジタル復調部３５と、チューナ回路部３４及びデジタル復調部３５に動作用電源を与える電源部４４とを備える。
【０００４】
映像表示装置３３は、受信装置３２から与えられる圧縮されたデジタル信号からデジタル映像・音声信号に変換するデジタル回路部３７と、デジタル回路部３７から出力されるデジタル映像・音声信号をアナログの映像・音声信号に変換する映像音声出力回路４１と、映像音声出力回路４１から出力されるアナログの映像信号に基づいて映像を表示する処理を行う表示処理部４２と、映像音声出力回路４１から出力されるアナログの音声信号に基づいて音声を出力する処理を行う音声処理部４３と、デジタル回路部３７、映像音声出力回路４１、表示処理部４２および音声処理部４３に動作用電源を与える電源部４５と、を備える。また、デジタル回路部３７は、圧縮されたデジタル信号から映像信号および音声信号を抽出するための映像音声処理ＩＣ４０と、映像音声処理を行う際に一時的に処理データを格納する映像音声処理メモリ３８と、受信装置３２の制御コードを格納するプログラム用メモリ３９とを備える。
【０００５】
このような、従来の受信装置３２では、チューナ回路部３４とデジタル復調部３５とは同一の基板上に配置され、アースパターンを共有していた。また、その基板を単一のシールドケースで覆い、受信装置外部からのノイズの混入を防止していた。
【０００６】
しかしながら、従来の受信装置３２では、受信した高周波信号をチューナ回路部３４で中間波信号に変換し、その後デジタル復調部３５でデジタル信号に変換する際にデジタル復調部３５からノイズが発生し、アースパターン及びシールドケースを介してノイズがチューナ回路部３４に混入していた。したがって、従来の受信装置３２では受信品質が劣化していた。
【０００７】
そこで、このような問題を解決すべく、特許文献１では、チューナ回路部とデジタル復調部を基板上で分離して配置し、アースパターンも同様に分離し、チューナ回路部とデジタル復調部はそれぞれのシールドケースにて別々に収納することで、ノイズの影響を低減させた受信装置が提案されている。
【特許文献１】特開２０００−６８６７３号公報
【発明の開示】
【発明が解決しようとする課題】
【０００８】
しかしながら、特許文献１で提案された受信装置では、受信装置と映像表示装置との各々をシールドで覆う一方で、映像表示装置の基板上に映像音声処理ＩＣ、映像音声メモリ、プログラム用メモリ、映像音声出力回路、表示処理部、音声処理部を設けており、部品及び配線数が多くなるため、映像表示装置の基板を複雑な構成である多層基板としている。また、上記映像表示装置の基板上に設けられた部材から不要輻射やノイズが発生することからシールドを追加する必要があり、さらに、上記部材からの発熱対策として基板の面積の拡大や、放熱板の追加も必要となっている。したがって、受信装置の複雑化及び大型化を招いていた。
【０００９】
そこで、本発明では、構成が簡素でありかつ小型である受信装置を提供することを目的とする。
【課題を解決するための手段】
【００１０】
上記目的を達成すべく本発明の受信装置は、アンテナで受信した高周波信号を受信して映像、音声信号に変換する受信装置であって、第１の基板上に配置されアンテナから受信された高周波信号を中間周波数信号に変換するチューナ回路部と、第２の基板上に配置され、チューナ回路部から出力される中間周波数信号を圧縮されたデジタル信号に変換するデジタル復調部と、第２の基板上に配置され、デジタル復調部から出力される圧縮されたデジタル信号からデジタル映像・音声信号に変換するデジタル回路部と、第２の基板上に配置されデジタル回路部から出力されるデジタル映像・音声信号をアナログ映像・音声信号に変換する映像音声出力回路と、を備え、第１の基板の実装面と第２の基板の実装面とを対向させ、かつ略平行になるように配置することを特徴とする。
【００１１】
また、上記構成の受信装置において、第１の基板の端部に設けられた第１のコネクタと、第２の基板の端部に設けられた第２のコネクタとを備え、これらのコネクタをジャンパ線で接続し、第１の基板と第２の基板との間の信号パターンを接続するとしても構わない。また、第１のコネクタと第２のコネクタが設けられたそれぞれの基板の端部が、基板の実装面と略垂直な方向に対して揃うように、これらの基板を配置しても構わない。
【００１２】
このような構成にすることで、第１のコネクタと第２のコネクタの直線距離が短くなり、ジャンパ線でこれらを接続するのが容易となる。
【００１３】
また、上記構成の受信装置において、デジタル回路部が、圧縮されたデジタル映像・音声信号を復調する映像音声処理ＩＣと、圧縮されたデジタル映像・音声信号及び復調したデジタル映像・音声信号を保存する映像音声処理メモリと、を備えるとともに、デジタル復調部が、中間周波数信号をデジタル変換するための処理ＩＣであるデジタル復調ＩＣを備え、第２の基板の層数を第１の基板の層数より少なく構成しても構わない。例えば、第１の基板を２層、第２の基板を４層としても構わない。
【００１４】
このような構成にすることで、数十以上のピンを備えるＩＣパッケージを、第２の基板に集中することができるため、第１の基板の層の数を削減することができる。したがって、構成を簡略化することができる。
【００１５】
また、デジタル復調回路部と、電源部、デジタル回路部及び映像音声出力回路との間にシールド板を設け、シールド板によってデジタル復調回路部を電磁的に遮蔽しても構わない。
【００１６】
また、上記構成の受信装置において、第１の基板の実装面と略平行であり、第１の基板について第２の基板の反対側に設けられた第１のふたと、第２の基板の実装面と略平行であり、第２の基板について第１の基板の反対側に設けられた第２のふたと、第１のふたと第２のふたとに接続し、第１の基板及び第２の基板のそれぞれの実装面に略垂直なそれぞれの側面に嵌合するように設けられたシャーシとを備え、第１の基板及び第２の基板の全面が、シャーシと第１のふたと第２のふたとによって、装置外部に対して覆われることとしても構わない。また、第１のふたと第２のふたがシャーシに対して着脱可能としても構わない。
【００１７】
また、上記構成の受信装置において、デジタル復調ＩＣに第１の熱伝導体を、映像音声処理ＩＣには第２の熱伝導体設けることとして、これらの熱伝導体によって各々のＩＣとシャーシとを接続し、ＩＣの熱をシャーシに伝達し放熱する構成としても構わない。
【００１８】
また、上記構成の受信装置において、第１の基板に設けられたアナログアースパターンと、第２の基板に設けられたデジタルアースパターンとが、はんだ接続によってシャーシに電気的に接続され、第１の基板及び第２の基板のそれぞれ片側の面のみでそれぞれのアースパターンとシャーシとのはんだ接続を行うとしても構わない。
【００１９】
また、上記構成の受信装置において、第１基板のアナログアースパターンとシャーシとのはんだ接続する面を第１の基板の第１のふたと対向する面として、第２の基板のデジタルアースパターンとシャーシとのはんだ接続する面を第２の基板の第２のふたと対向する面としても構わない。
【００２０】
このような構成にすることで、第１のふた及び第２のふたと、それぞれの基板のはんだ接続をする面が対向し、第１のふた及び第２のふたをはずすことで容易にそれぞれの基板とシャーシとをはんだ接続することができる。
【００２１】
また、上記構成の受信装置において、第１の基板のアナログアースパターンとシャーシとをはんだ接続する面と、第２の基板のデジタルアースパターンとシャーシとのはんだ接続をする面とを、第２のふた側の面としても構わないし、それぞれの基板の第１のふた側のそれぞれの面をはんだ接続をする面としても構わない。
【００２２】
このような構成にすることで、第１のふた及び第２のふたのどちらか片方をはずすだけで、受信装置のはんだ接続を行うことが可能となり、両方のふたを開けて作業する場合と比較して、工数を削減することができる。また、第１の基板より第２の基板のほうが、配置する素子や回路部材が多いため実装面積が大きくなり、それに伴い第２のふたも大きいものとなる。したがって、それぞれの基板の第２のふたと対向する面をはんだ接続する面として、第２のふたを開けてはんだ接続するほうが接続作業する面積も広くなるため好適である。
【００２３】
また、上記構成の受信装置において、第１の基板のアナログアースパターンとシャーシとをはんだ接続する面を、第２の基板と対向する面として、第２の基板のデジタルアースパターンとシャーシとをはんだ接続する面を、第１の基板と対向する面としても構わない。
【００２４】
第１の基板のはんだ接続する面と同一面上またはその面の裏面に、第１のコネクタを設けても構わないし、第２の基板のはんだ接続する面と同一面上またはその面の裏面に、第２のコネクタを設けても構わない。
【００２５】
また、上記構成の受信装置において、アースパターンとシャーシとのはんだ接続が、各基板の少なくとも一つの辺に対して行われることとしても構わない。
【００２６】
このような構成において、基板の複数の辺に対してはんだ接続をした場合、それぞれのアースパターンとシャーシとの接続点数が増加し、インピーダンスを下げることができる。
【００２７】
また、上記構成の受信装置において、チューナ回路部、デジタル復調部、デジタル回路部、映像音声出力回路それぞれの入出力端子を、第２の基板の第２のコネクタが設けられた面と同一の面の、第２のコネクタを設けた端部と略垂直な端部に集中して配置しても構わない。
【００２８】
また、本発明の受信システムは、デジタルおよびアナログ放送波を受信して、映像信号および音声信号に変換し、表示および出力するものであり、上記構成の受信装置と、受信装置から出力される映像信号に基づいて映像を表示し、あるいは音声信号に基づいて音声を出力する処理を行う映像表示装置とを備えることを特徴とする。
【００２９】
また、上記構成の受信システムにおいて、受信装置と映像表示装置との配置の仕方によって、これらの装置を接続するコネクタピンを曲げたり、長さを変えたりして接続を行っても構わない。
【００３０】
このような構成にすることによって、受信装置内部及び外部の部材の配置を変更することなく受信装置と映像表示装置とを接続することができ、自由にこれらの装置を配置することができる。
【発明の効果】
【００３１】
チューナ回路部を第１の基板に備え、デジタル復調部、デジタル回路部、映像音声出力回路を第２の基板に備え、これらの基板を、実装面が対向し、かつ略平行となるように配置することによって、一枚の基板にこれらの回路部をすべて設ける場合より、受信装置の基板の実装面と平行な方向に対しての小型化を図ることができる。また、高周波信号を処理するチューナ回路部が第１の基板に配置されるが、第１の基板には他の回路部を配置しないため、基板を介してチューナ回路部にノイズが混入することを防ぐことができる。
【発明を実施するための最良の形態】
【００３２】
＜第１の実施形態＞
以下、本発明の第１の実施形態における受信装置の構造を図１〜図７を用いて説明する。なお、基板上の配線及びアナログアースパターン及びデジタルアースパターンについては図面上省略する。
【００３３】
図１に第１の実施形態に係る受信装置の斜視図を示す。図１に示すように、受信装置１の内部に、それぞれの実装面が対向し、かつ略平行となるように第１の基板５と第２の基板６とが配置されている。ここで実装面とは、基板の厚み方向の辺を含まない２面のことであり、この２面の両方を指す。また、第１の基板５及び第２の基板６の実装面に対向するように、受信装置１の天板及び底板として、略平板形で着脱可能である第１のふた１４及び第２のふた１５が設けられている。以下、第１の基板５及び第２の基板６のそれぞれの実装面のうち、第１のふた１４側の実装面を表面、第２のふた１５側の実装面を裏面とする。また、受信装置１の側面はシャーシによって形成される。
【００３４】
また、第１の基板５と第２の基板６とのそれぞれの幅（図中Ｘ方向の長さ）は略等しいものとしており、幅方向と略垂直であり厚さ方向ではない長手方向の長さ（図１中Ａ―Ａ方向の長さ）は、第２の基板６の方が配置する素子や回路部材が多いため長いものとして、その実装面積を広くしている。また、それぞれの基板５、６の幅方向と略平行である一つの端部が、基板５、６の実装面と略垂直な方向に揃うように第１の基板５と第２の基板６とを配置している。
【００３５】
シャーシ２、第１のふた１４、第２のふた１５のそれぞれの配置は、できる限り受信装置１を小さくするために、第１の基板５及び第２の基板６の外形に合わせて決定するものとし、それぞれの大きさは、第１の基板５及び第２の基板６の大きさに基づくものとする。したがって、第１の基板５及び第２の基板６の幅は同一であり、それぞれの幅方向と平行であるひとつの端部が揃い、他の端部については第２の基板６が突出していることから、シャーシ２、第１のふた１４、第２のふた１５が形成する受信装置１の外形は、略直方体であり、かつ底板である第２のふた１５及びその近傍が突出した階段状となっている。また、この突出した側面と対向する側面の第１の基板５の近傍には、高周波信号を伝えるチューナ入力端子４を設けている。
【００３６】
図２に図１のＡ−Ａ断面である本発明の第１の実施形態に係る受信装置の断面図を示す。図２に示すように受信装置１は、第１の基板５及び第２の基板６を備え、第１の基板５及び第２の基板６の長手方向に揃えたそれぞれの端部の表面には、第１のコネクタ１１及び第２のコネクタ１２が設けられている。この第１のコネクタ１１と第２のコネクタ１２とはジャンパ線１０で接続されており、第１の基板５と第２の基板６との信号パターンを伝達する。
【００３７】
第１の基板５の表面及び裏面にはチューナ回路部１７が設けられている。この表面及び裏面に設けられたチューナ回路部１７は、基板５のスルーホールや金属層を介して電気的に接続されている。また、第２の基板の表面と裏面とのそれぞれにはデジタル復調回路部１８、電源部１９、デジタル回路部２０及び映像音声出力回路２１が配置されている。これらの回路部材も第１の基板５と同様に、基板６に設けられたスルーホールや金属層を介して電気的に接続されている。
【００３８】
また、第２の基板６の表面には、デジタル復調ＩＣ１８ａ及び映像音声処理ＩＣ２０ａが設けられている。第２の基板６に設けられたデジタル復調ＩＣ１８ａには平板状の第１の熱伝導体８が第２の基板６と略平行になるように設けられ、映像音声処理ＩＣ２０ａには同じく平板状の第２の熱伝導体９が第２の基板６と略平行になるように設けられている。これらの熱伝導体８、９は、各々のＩＣ１８ａ、２０ａとシャーシ２とに接続しており、これらのＩＣ１８ａ、２０ａの熱をシャーシ２に伝達し、放熱する。
【００３９】
なお、第２の基板の層数を第１の基板の層数より少なく構成してもよく、例えば第１の基板を２層、第２の基板を４層としてもよい。このような構成にすることで、数十以上のピンを備えるＩＣパッケージを、第２の基板に集中することができるため、第１の基板の層の数を削減することができる。したがって、簡易な構成にすることができる。
【００４０】
また、第１の基板５にアナログアースパターン、第２の基板６にデジタルアースパターンがそれぞれ設けられている。これらのアースパターンは、はんだ１６によってシャーシ２と電気的に接続される。このはんだ１６により電気的に接続される接続面は基板５、６のそれぞれの裏面となっている。
【００４１】
次に、図３に第１の基板及び第２の基板の平面図を示す。図３は各々の基板の表面を示した図である。図３に示すように、第１の基板５のチューナ入力端子４近傍の端部には第１のコネクタ１１が設けられ、第１の基板には他にチューナ回路部１７が設けられている。
【００４２】
チューナ入力端子４が設けられたシャーシ２の側面近傍の第２の基板６の端部には第２のコネクタ１２が設けられ、第２のコネクタ１２が設けられた面と同一の面であり、第２のコネクタ１２が設けられた端部と略垂直となる端部には、第３のコネクタ１３が設けられている。また、第２の基板６には他に、デジタル復調回路部１８、電源部１９、デジタル回路部２０、映像音声出力回路２１を備えており、デジタル復調回路部１８とデジタル回路部２０の間には電源部が設けられている。
【００４３】
第３のコネクタ１３には、チューナ回路部１７の入出力端子の他、第２の基板に配置されているデジタル復調回路部１８、デジタル回路部２０、映像音声出力回路２１、電源部１９に関わる入出力端子であるコネクタピン３が備えられている。また、コネクタピン３のうち、第２のコネクタ１２寄りのコネクタピン３はチューナ回路部１７の中間周波数出力端子であり、この中間周波数出力端子から中間周波数信号が出力される。一方、第３のコネクタ１３のうち、第２のコネクタ１２と離れた側のコネクタピン３は映像音声出力回路２１の出力端子およびそのアース端子となっている。
【００４４】
また、デジタル復調ＩＣ１８ａはデジタル復調回路部１８に設けられ、映像音声処理ＩＣ２０ａはデジタル回路部２０に設けられている。また、デジタル復調回路部１８と、電源部１９、デジタル回路部２０、映像音声出力回路２１との間にはシールド板７が設けられ、シールド板７によってデジタル復調回路部１８と他の回路部材１９〜２１とを電磁的に遮蔽している。
【００４５】
図４に第１の基板及び第２の基板の平面図を示す。図４は各々の基板の裏面を示した図である。図４に示すように、第２の基板６のデジタル回路部２０には、プログラム用メモリ２０ｂと、映像音声処理用メモリ２０ｃが設けられている。このデジタル回路部２０の基板６の表面側には、図２及び図３で示したように映像音声処理ＩＣ２０ａが設けられている。
【００４６】
また、図５及び図６に、本発明の実施形態に係る受信装置を映像表示装置に取り付けた受信システムの構成を示す正面図及び側面図を示している。図５の（ａ）及び図６の（ａ）は、受信システムに配置された受信装置のチューナ入力端子が配置された面を正面として示した正面図であり、図５の（ｂ）及び図６の（ｂ）は正面と略垂直な側面を示した側面図である。
【００４７】
図５の（ａ）及び（ｂ）に、受信装置１に備えられた第１の基板５及び第２の基板６が、映像表示装置２２と受信装置１との接触面に対して略垂直となるように受信装置１を配置した場合を示す。図５の（ａ）は、受信システム２３に配置された受信装置１のチューナ入力端子４が配置された面を示す正面図であり、図５の（ｂ）は、受信システム２３に配置された受信装置１の第１のふた１４が配置された面を示す側面図である。なお、図５の（ｂ）において、図面をわかりやすくするため第１の基板５及び第２の基板６を図面上省略して示した。図５の（ａ）及び（ｂ）に示すように、コネクタピン３は、受信装置１の映像表示装置２２と接触する面から突出するように配置されているため、映像表示装置２２にそのまま接続することができる。また、コネクタピン３は受信装置１と映像表示装置２２とを接続するとこれらの装置がちょうど接触するように配置されている。
【００４８】
また、図６の（ａ）及び（ｂ）に、受信装置１に備えられた第１の基板５及び第２の基板６が、映像表示装置２２と受信装置１との接触面に対して略平行となるように受信装置１を配置した場合を示す。図６の（ａ）は、受信システム２３に配置された受信装置１のチューナ入力端子４が配置された面を示す正面図であり、図６の（ｂ）は、受信システム２３に配置された受信装置１のコネクタピン３が突出する側面を示す側面図である。図６の（ａ）及び（ｂ）に示すように、コネクタピン３が受信装置１から突出する方向は、映像表示装置２２の接続面に対して略垂直となっている。このような場合は、コネクタピン３を折り曲げて映像表示装置２２に接続することとすれば、コネクタピン３の配置を変化させる必要がない。
【００４９】
次に、図７を用いて本発明の実施形態に係る受信システムの動作について説明する。図７は本発明の実施形態に係る受信システムの動作を示すブロック図である。
【００５０】
まず、アンテナ２４が高周波信号を受信し、受信装置１の第１の基板５に設けられた、チューナ回路部１７に伝達する。チューナ回路部１７は受信した高周波信号を中間周波数信号に変換し、第２の基板６に設けられたデジタル復調部１８に伝達する。そして、デジタル復調部１８に設けられたデジタル復調ＩＣ１８ａが信号を処理し、中間周波数信号を圧縮されたデジタル信号に変換する。圧縮されたデジタル信号はデジタル回路部２０に伝達する。デジタル回路部２０では映像音声処理ＩＣ２０ａが処理を行い、デジタル映像・音声信号に変換する。
【００５１】
また、映像音声処理メモリ２０ｃは圧縮されたデジタルの映像信号、音声信号および復調したデジタルの映像信号、音声信号を保存し、プログラム用メモリ２０ｂは受信装置１の制御コードを格納する。電源部１９は第２の基板６に設けられ、第１の基板５に設けられたチューナ回路部１７と、第２の基板６に設けられたデジタル復調部１８と、デジタル回路部２０と、映像音声出力回路２１に動作用電源を与える。
【００５２】
デジタル回路部２０から出力されるデジタル映像・音声信号は映像音声出力回路２１に伝達し、アナログの映像・音声信号に変換され、映像表示装置２２に伝達する。映像表示装置２２は与えられるアナログの映像信号に基づいて、表示処理部２２ａが映像を表示する処理を行い、アナログの音声信号に基づいて音声処理部２２ｂが音声を出力する処理を行う。また、各々の処理部２２ａ、２２ｂには電源部２２ｃが動作用電源を与えている。
【００５３】
このような構成の受信装置１は、第１の基板５の実装面と第２の基板６の実装面とを、シャーシ２内部に略平行に配置したものであるため、一枚の基板に素子や回路部材を設ける場合や、２枚の基板を同一平面に並べる場合と比較して、基板の実装面に対して平行な方向へ小型化を図ることができる。さらに、受信装置１を小型化することにより、映像表示装置２２に受信装置１を設ける場合の自由度を向上させることができる。
【００５４】
また、受信装置１の映像表示装置２２上への配置方法に応じてコネクタピン３を折り曲げて接続することで、シャーシ２内部の第１の基板５及び第２の基板６の配置やシャーシ２外部のチューナ入力端子４及びコネクタピン３の配置を変化させること無く受信装置１と映像表示装置２２とを接続することができる。したがって、受信装置１の配置の自由度をさらに向上させることができる。
【００５５】
また、チューナ回路部１７とデジタル復調部１８を異なる基板５、６上に設けたことで、デジタル復調部１８から発生する電磁波による、基板を介したチューナ回路部１７へのノイズの混入を抑制することができる。
【００５６】
また、第２の基板６上のデジタル復調回路部１８と、デジタル回路部２０との間にシールド板７を設けて電磁的に遮蔽したことと、デジタル復調部１８とデジタル回路部２０との間に電源部１９を設け、デジタル復調部１８とデジタル回路部２０との距離を長くしたことにより、デジタル復調部１８から発生する電磁波のデジタル回路部２０への混入を抑制することができる。
【００５７】
また、第１の基板５と第２の基板６とを、シャーシ２と第１のふた１４及び第２のふた１５との内部においてジャンパ線１０で接続している。したがって、第１の基板５の周囲を完全にシャーシ２と第１のふた１４及び第２のふた１５とで囲うことができ、チューナ回路部１７に外部からノイズが混入することを防ぐことができる。
【００５８】
また、デジタル復調ＩＣ１８ａ及び映像音声処理ＩＣ２０ａの各々に第１の熱伝導体８と、第２の熱伝導体９を設け、シャーシ２と接続することによって、これらのＩＣ１８ａ、２０ａから発生した熱をシャーシ２、第１のふた１４、第２のふた１５に伝達し、放熱することができる。したがって、デジタル復調ＩＣ１８ａ及び映像音声処理ＩＣ２０ａの温度上昇を抑制することができる。
【００５９】
また、第１の基板５に設けられた第１のコネクタ１１と、第２の基板６に設けられた第２のコネクタ１２とを基板５、６の実装面と略垂直な方向に整列させ配置している。これにより、第１のコネクタ１１と第２のコネクタ１２との距離が短くなり、ジャンパ線１０での接続が容易になる。
【００６０】
また、第１の基板５及び第２の基板６の周囲に設けられたそれぞれのアースパターンとシャーシ２とは、基板５、６の複数の辺においてはんだ１６により接続されている。これにより、アースパターンとシャーシ２との接続点数が増加し、インピーダンスを下げることができる。なお、すべての辺において接続されることが好適である。
【００６１】
なお、第１のコネクタ１１及び第２のコネクタ１２の配置面と、はんだ１６の接続面との組み合わせについては図２に示す場合に限らず、図９の（ａ）〜（ｃ）に示すようにしてもよい。この組み合わせについては図８を用いて説明する。図８及び図９は図２に相当する断面で切断した、本実施形態にかかる受信装置の断面図である。また、各基板とはんだとの接続箇所にはそれぞれのアースパターンが設けられていることとする。
【００６２】
図８に、基板の実装面上におけるコネクタの配置面とはんだの接続面とを示す。コネクタ２５の配置面とはんだ１６の接続面とは、図８の（ａ）に示すような、基板２６の実装面の別々の面上であり、表面と裏面とである場合と、（ｂ）に示すような基板２６の実装面の同一面上である場合とがある。
【００６３】
図２に示す場合、はんだ１６はそれぞれの基板５、６のそれぞれの裏面に接続しており、第１の基板５及び第２の基板６がともに図８の（ａ）の場合である。よって、第１のコネクタ１１は第１の基板５の表面、第２のコネクタ１２は第２の基板６の表面にそれぞれ配置される。
【００６４】
図９の（ａ）に示す場合も、図２と同様にはんだ１６がそれぞれの基板５、６のそれぞれの裏面に接続している。また、第１の基板５は図８の（ａ）の場合であり、第２の基板６は図８の（ｂ）の場合である。よって、第１のコネクタ１１は第１の基板５の表面、第２のコネクタ１２は第２の基板６の裏面にそれぞれ配置される。
【００６５】
図９の（ｂ）に示す場合も、はんだ１６がそれぞれの基板５、６のそれぞれの裏面に接続している。また、第１の基板５及び第２の基板６はともに図８の（ｂ）の場合である。よって、第１のコネクタ１１は第１の基板５の裏面、第２のコネクタ１２も第２の基板６の裏面にそれぞれ配置される。このような構成にすることで、各々の基板５、６のコネクタの配置面及びはんだ１６の接続面が、第２のふた１５側になり、第２のふた１５をはずすだけでそれぞれの基板５、６のはんだ接続及びジャンパ線１０の接続を行うことができる。したがって、第１のふた１４をはずす必要がなくなり、工数を削減することができる。このような接続を行う場合、先に第１の基板５をシャーシ２内に入れて接続を行い、次に第２の基板６をシャーシ２内に入れて接続を行うこととすると、第１の基板５とシャーシ２との接続の際に第２の基板６が邪魔になることがないので好適である。
【００６６】
図９の（ｃ）に示す場合も、はんだ１６がそれぞれの基板５、６のそれぞれの裏面に接続している。また、第１の基板５は図８の（ｂ）の場合であり、第２の基板は図８の（ａ）の場合である。よって、第１のコネクタ１１は第１の基板５の裏面、第２のコネクタ１２は第２の基板６の表面にそれぞれ配置される。このような構成にすることで、第１のコネクタ１１と第２のコネクタ１２とが基板５、６の対向する実装面上に配置されるため、ジャンパ線１０を短くすることが可能となりコストの低減が図られるとともに、ジャンパ線１０の接続が容易となる。また、受信装置１内でジャンパ線１０が邪魔になることがなくなる。このような接続を行う場合、あらかじめジャンパ線１０を第１のコネクタ１１及び第２のコネクタ１２に接続した上でそれぞれの基板５、６を接続したほうが、はんだ接続が容易になるため好適である。
【００６７】
図２及び図９の（ａ）〜（ｃ）に示す場合において、第１の基板５に設けられたチューナ回路部１７、第２の基板６に設けられたデジタル復調部１８、デジタル復調ＩＣ１８ａ、電源部１９、デジタル回路部２０、映像音声処理ＩＣ２０ａ、プログラム用メモリ２０ｂ、映像音声処理メモリ２０ｃ及び映像音声出力回路２１の配置関係は、図２〜図４に示す場合と同様であり、第３のコネクタ１３は上述したように第２のコネクタ１２を設けた面と同一面に設けることとする。また、シールド７、第１の熱伝導体８及び第２の熱伝導体９の配置関係も同様であり、それぞれ第２の基板の表面側に設けられている。
【００６８】
＜第２の実施形態＞
以下、本発明の第２の実施形態における受信装置の構造を図８及び図１０を用いて説明する。なお、第１の基板５に設けられたチューナ回路部１７、第２の基板６に設けられたデジタル復調部１８、デジタル復調ＩＣ１８ａ、電源部１９、デジタル回路部２０、映像音声処理ＩＣ２０ａ、プログラム用メモリ２０ｂ、映像音声処理メモリ２０ｃ及び映像音声出力回路２１の配置関係は、図２〜図４に示す場合と同様であり、第３のコネクタ１３が第２のコネクタ１２が設けられた面と同一面に設けられることとする。また、シールド７、第１の熱伝導体８及び第２の熱伝導体９の配置関係も同様であり、これらの配置関係に関する詳細な説明は省略する（図２〜図４参照）。第１の実施形態と第２の実施形態とは、はんだ１６の接続面と第１のコネクタ１１及び第２のコネクタ１２の配置面との関係が異なっており、この配置面の詳細について説明する。
【００６９】
図８及び図１０を用いて第２の実施形態について説明する。図１０の（ａ）〜（ｄ）は、第１の基板５の表面及び第２の基板６の裏面にそれぞれはんだ接続を行う場合を示しており、図２及び図９の（ａ）〜（ｃ）に示した場合と同様に第１のコネクタ１１及び第２のコネクタ１２の配置面を変化させた場合を示している。
【００７０】
図１０の（ａ）に、はんだ１６を第１の基板５の表面及び第２の基板６の裏面にそれぞれ接続する場合を示す。また、第１の基板５は図８の（ｂ）の場合であり、第２の基板６は図８の（ａ）の場合である。よって、第１のコネクタ１１は第１の基板５の表面、第２のコネクタ１２は第２の基板６の表面にそれぞれ配置される。即ち、この図に示す第１のコネクタ１１及び第２のコネクタ１２の配置関係は、図２に示すものと同様である。
【００７１】
図１０の（ｂ）に、はんだ１６を第１の基板５の表面及び第２の基板６の裏面にそれぞれ接続する場合を示す。また、第１の基板５及び第２の基板６はともに図８の（ｂ）の場合である。よって、第１のコネクタ１１は第１の基板５の表面、第２のコネクタ１２は第２の基板６の裏面にそれぞれ配置される。即ち、この図に示す第１のコネクタ１１及び第２のコネクタ１２の配置関係は、図９の（ａ）に示すものと同様である。
【００７２】
このような構成にすることで、第１の基板５の第１のコネクタ１１の配置面及びはんだ１６の接続面が第１のふた１４と対向し、第２の基板６の第２のコネクタ１２の配置面及びはんだ１６の接続面が第２のふた１５と対向する。これにより、第１のふた１４及び第２のふた１５をはずすだけで、容易に基板５、６をシャーシ２に接続することができる。また、コネクタ１１、１２の配置面とはんだ１６の接続面とがそれぞれ同一面であるので、ジャンパ線１０とはんだ１６とを同時に接続することができる。したがって、製造工程が簡略化する。
【００７３】
図１０の（ｃ）に、はんだ１６を第１の基板５の表面及び第２の基板６の裏面にそれぞれ接続する場合を示す。また、第１の基板５は図８の（ａ）の場合であり、第２の基板は図８の（ｂ）の場合である。よって、第１のコネクタ１１は第１の基板５の裏面、第２のコネクタ１２も第２の基板６の裏面にそれぞれ配置される。即ち、この図に示す第１のコネクタ１１及び第２のコネクタ１２の配置関係は、図９の（ｂ）に示すものと同様である。
【００７４】
図１０の（ｄ）に、はんだ１６を第１の基板５の表面及び第２の基板６の裏面にそれぞれ接続する場合を示す。また、第１の基板５及び第２の基板６はともに図８の（ａ）の場合である。よって、第１のコネクタ１１は第１の基板５の裏面、第２のコネクタ１２は第２の基板６の表面にそれぞれ配置される。即ち、この図に示す第１のコネクタ１１及び第２のコネクタ１２の配置関係は、図９の（ｃ）に示すものと同様である。
【００７５】
このような構成にすることで、図９の（ｃ）でも示したように第１のコネクタ及び第２のコネクタが対向するため、ジャンパ線１０の接続を容易とする効果を得ることができる。さらに、この場合はそれぞれの基板５、６のはんだ１６の接続面が、第１のふた１４及び第２のふた１５のそれぞれと対向するために、第１のふた１４と第２のふた１５とを取り外し、容易に基板５、６とシャーシ２とを接続することができる。ただし、このような接続を行う場合、あらかじめ第１のコネクタ１１と第２のコネクタ１２とをジャンパ線１０で接続し、その後で二枚の基板５、６をシャーシ２内に入れて、シャーシ２と基板５、６との接続を行うこととすると、ジャンパ線１０の接続が容易となるため好適である。
【００７６】
なお、はんだ１６の接続面を、第１の実施形態の図２及び図９の（ａ）〜（ｃ）では第１の基板５の裏面及び第２の基板６の裏面とし、第２の実施形態では図１０の（ａ）〜（ｃ）に示すように第１の基板５の表面及び第２の基板６の裏面としたが、第１の基板５の表面及び第２の基板６の表面としてもよい。また、第１の基板５の裏面及び第２の基板６の表面としてもよい。これらの場合も、第１のコネクタ１１及び第２のコネクタ１２の配置面は図２及び図９の（ａ）〜（ｃ）に示す場合、または図１０の（ａ）〜（ｄ）に示す場合と同様に４種類考えられる。
【００７７】
また、第１、第２の実施形態において、第１の基板５及び第２の基板６の幅と、第１のふた１４及び第２のふた１５の幅とはそれぞれ略等しいものとしているが、それぞれ異なるものとしてもよい。
【００７８】
また、第１の基板５及び第２の基板６の長手方向の一つの端部を揃える構成としたが、揃えない構成としてもよく、例えばそれぞれの基板の中心が、基板の実装面と垂直な方向に対して整列するものとしてもよい。ただし、第１のコネクタ１１と第２のコネクタ１２をジャンパ線１０で接続する場合、これらのコネクタ１１、１２の距離が短い方が容易に接続できる。
【００７９】
また、第３のコネクタ１３を、第２の基板６の第２のコネクタ１２が配置された面と異なる面に設けることとしてもよい。ただし、第３のコネクタ１３は第２のコネクタ１２と同一の面に設けることとした方が、第２のコネクタ１２及びジャンパ線１０、第３のコネクタ１３及びコネクタピン３の接続を同時に行うことができ、容易に接続を行うことができる。
【００８０】
以上、本発明の実施形態に係る受信装置について説明したが、本発明の範囲はこれに限定されるものではなく、発明の主旨を逸脱しない範囲で種々の変更を加えて実行することができる。
【産業上の利用可能性】
【００８１】
本発明の受信装置及び受信システムは、デジタルテレビジョン放送などを受信して受信映像を表示する受信システムとして好適に利用され得る。
【図面の簡単な説明】
【００８２】
【図１】は、本発明の第１実施形態に係る受信装置の斜視図である。
【図２】は、本発明の第１実施形態に係る受信装置の断面図である。
【図３】は、本発明の第１実施形態に係る受信装置の展開平面図である。
【図４】は、本発明の第１実施形態に係る受信装置の展開平面図である。
【図５】は、本発明の第１実施形態に係る受信システムの正面図及び側面図である。
【図６】は、本発明の第１実施形態に係る受信システムの正面図及び側面図である。
【図７】は、本発明の第１実施形態に係る受信システムのブロック図である。
【図８】は、本発明の実施形態に係る受信装置の基板周辺における断面図である。
【図９】は、本発明の第１の実施形態に係る受信装置の断面図である。
【図１０】は、本発明の第２の実施形態に係る受信装置の断面図である。
【図１１】は、従来の受信システムのブロック図である。
【符号の説明】
【００８３】
１      受信装置
２      シャーシ
３      コネクタピン
４      チューナ入力端子
５      第１の基板
６      第２の基板
７      シールド板
８      第１の熱伝導体
９      第２の熱伝導体
１０    ジャンパ線
１１    第１のコネクタ
１２    第２のコネクタ
１３    第３のコネクタ
１４    第１のふた
１５    第２のふた
１６    はんだ
１７    チューナ回路部
１８    デジタル復調部
１８ａ  デジタル復調ＩＣ
１９    電源部
２０    デジタル回路部
２０ａ  映像音声処理ＩＣ
２０ｂ  プログラム用メモリ
２０ｃ  映像音声処理メモリ
２１    映像音声出力回路
２２    映像表示装置
２２ａ  表示処理部
２２ｂ  音声処理部
２２ｃ  電源部
２３    受信システム
２４    アンテナ
２５    コネクタ
２６    基板
３０    受信システム
３１    アンテナ
３２    受信装置
３３    映像表示装置
３４    チューナ回路部
３５    デジタル復調部
３６    デジタル復調ＩＣ
３７    デジタル回路部
３８    映像音声処理メモリ
３９    プログラム用メモリ
４０    映像音声処理ＩＣ
４１    映像音声出力回路
４２    表示処理部
４３    音声処理部
４４    電源部
４５    電源部
【図１】
2008011065.tif 000003
【図２】
2008011065.tif 000004
【図３】
2008011065.tif 000005
【図４】
2008011065.tif 000006
【図５】
2008011065.tif 000007
【図６】
2008011065.tif 000008
【図７】
2008011065.tif 000009
【図８】
2008011065.tif 000010
【図９】
2008011065.tif 000011
【図１０】
2008011065.tif 000012
【図１１】
2008011065.tif 000013